(57)【要約】【課題】タオルを掛け易く、しかも高い強度でタオル掛けバーを支持固定することができるタオル掛けを提供する。【解決手段】タオルが掛止されるタオル掛けバー２を支持する支持面６と、タオル掛け１を取り付ける壁面からタオル掛けバー２を壁面と略平行に離間させる一対の対向する側面７，８とが連続して横断面コ字状を成す取付具５の支持面６に、タオル掛けバー２の一端側の外周面３が当接し、取付具５の支持面６とタオル掛けバー２の外周面３とがタオル掛けバー２の長手方向における複数位置において固定ねじ２４により固定されて、タオル掛けバー２が取付具５により片持ち式に支持されていることを特徴とする。【選択図】図１
2009077835.tif 000002
【特許請求の範囲】
【請求項１】
タオルが掛止されるタオル掛けバーを支持する支持面と、タオル掛けを取り付ける壁面からタオル掛けバーを壁面と略平行に離間させる一対の対向する側面とが連続して形成された横断面コ字状を成す取付具の支持面に、タオル掛けバーの一端側の外周面が当接し、取付具の支持面とタオル掛けバーの外周面とがタオル掛けバーの長手方向における複数位置において固定ねじにより固定されて、タオル掛けバーが取付具により片持ち式に支持されていることを特徴とするタオル掛け。
【発明の詳細な説明】
【技術分野】
【０００１】
本発明は、タオル掛けに関するものである。
【背景技術】
【０００２】
従来、扉や洗面化粧台などの壁面に取り付けられるタオル掛けは、タオルが掛止されるタオル掛けバーが両端側で取付具に固定されて両持ち式に支持されており（特許文献１、２参照）、両持ち式に支持することでタオル掛けバーを支持するのに必要な強度を確保するようにしている。
【特許文献１】特開２００７−５４０９５号公報
【特許文献２】特開２００１−２９９６３１号公報
【発明の開示】
【発明が解決しようとする課題】
【０００３】
しかしながら、従来の両持ち式にタオル掛けバーを支持したタオル掛けは、タオル掛けバーの両端側の取付具で仕切られたタオル掛けバーと壁面との隙間に上方からタオルを通してタオルを掛止するものであるが、この隙間に上方からタオルを通しづらく、タオルを掛けにくい場合がある。
【０００４】
これに対して、タオル掛けバーの一端側のみを取付具で支持固定し、タオル掛けバーを片持ち式に支持するようにすれば、タオル掛けバーの開放された他端側より、タオル掛けバーと壁面との隙間に横から水平にタオルを通して掛止することができるので、この隙間にタオルを通し易くなり、タオルを掛け易くすることができる。
【０００５】
しかしながら、このようにタオル掛けバーを片持ち式に支持した場合、タオル掛けバーを支持する強度が低下し、タオル掛けバーに対して長手方向と垂直に強い力が作用するとタオル掛けバーが取付具から外れてしまう可能性があるという問題があった。
【０００６】
本発明は、以上の通りの事情に鑑みてなされたものであり、タオルを掛け易く、しかも高い強度でタオル掛けバーを支持固定することができるタオル掛けを提供することを課題としている。
【課題を解決するための手段】
【０００７】
上記の課題を解決するために、本発明のタオル掛けは、タオルが掛止されるタオル掛けバーを支持する支持面と、タオル掛けを取り付ける壁面からタオル掛けバーを壁面と略平行に離間させる一対の対向する側面とが連続して形成された横断面コ字状を成す取付具の支持面に、タオル掛けバーの一端側の外周面が当接し、取付具の支持面とタオル掛けバーの外周面とがタオル掛けバーの長手方向における複数位置において固定ねじにより固定されて、タオル掛けバーが取付具により片持ち式に支持されていることを特徴とする。
【発明の効果】
【０００８】
上記の本発明によれば、タオル掛けバーを片持ち式に支持するようにしたので、タオル掛けバーと壁面との隙間にタオルを横から通すことで、タオルを掛け易くすることができる。
【０００９】
また、取付具を横断面コ字状として支持面を設け、タオル掛けバーと取付具の支持面とを長手方向に幅をもたせて当接させるようにし、さらに、この当接部分の長手方向における複数位置においてねじ固定するようにしたので、タオル掛けバーを片持ち式に支持しても、タオル掛けバーに付加された力を、長手方向に幅をもつ当接部分と長手方向における複数位置のねじ固定部分に分散させることができ、高い強度でタオル掛けバーを支持固定することができる。
【発明を実施するための最良の形態】
【００１０】
以下、図面を参照しながら本発明を詳細に説明する。
【００１１】
図１は、本発明の一実施形態におけるタオル掛けの横断面図、図２は正面図、図３は側面図、図４は取付具の斜視図である。図５は、図１のタオル掛けの使用状態を示す斜視図である。
【００１２】
本実施形態のタオル掛け１は、扉や洗面化粧台などの壁面に取り付けて使用するものであり、図１に示すように、金属製、合成樹脂製などの管体からなるタオル掛けバー２の一端側が、金属製の取付具５に支持固定されている。
【００１３】
タオル掛けバー２が支持固定された取付具５の外側には、取付具５の全体とタオル掛けバー２の一端側を共に覆う合成樹脂製、金属製などの外装カバー３０が被せてあり、合成樹脂製、金属製などの外装キャップ３１が取付具５の一方の側面７に取り付けられて、外装カバー３０と外装キャップ３１により取付具５とタオル掛けバー２の一端側が全体として覆われている。タオル掛けバー２の他端側の先端部には、合成樹脂製、金属製などのキャップ２５が取り付けられている。
【００１４】
取付具５は、厚さ２ｍｍ程度の剛性金属板を折り曲げて作製したものであり、図４にも示すように、支持面６の両端部が折り曲げられて側面７，８が略垂直に延び、支持面６と側面７，８とが横断面コ字状を成して連続している。さらに、側面７，８の下端部が内方に折り曲げられて、壁面に固定される底面９が形成されている。なお、底面９に代えて側面７，８の下端部に外側方に向けて壁面に固定される取付片を形成してもよい。
【００１５】
図１に示すように、タオル掛けバー２は、その一端側の外周面３が取付具５の支持面６に対して長手方向に幅をもたせて当接しており、タオル掛けバー２の外周面３に長手方向に間隔をおいて設けられた２つのねじ穴２１，２１と、取付具５の支持面６に設けられた２つのねじ穴２０，２０と、タオル掛けバー２の内部空間に端部から挿入して固定した取付プレート１０の２つのねじ穴２２，２２とを位置合わせし、そこに固定ねじ２４，２４を螺着することによりタオル掛けバー２が取付具５に支持固定されている。
【００１６】
取付具５は、タオル掛け１が取り付けられる図５の壁面５０に底面９を当接させて底面９と壁面５０をねじ固定することにより壁面５０に取り付けられる。
【００１７】
取付具５の支持面６にタオル掛けバー２を支持固定し、取付具５を壁面５０に取り付けた後、図１〜図３に示すように、一方の側面部と底面部が開放された外装カバー３０を取付具５の全体とタオル掛けバー２の一端側を覆うように被せ、取付具５に係止させて固定し、次いで、外装カバー３０の開放された一方の側面部を覆うように、外装キャップ３１を、その内面に設けた係合突起部を取付具５の側面７に設けた貫通穴に嵌め込んで係合させることにより固定する。
【００１８】
このようにして、図５に示すように、タオル掛けバー２が壁面５０に対して略平行に離間し、タオル掛けバー２が水平に片持ち式に支持される形態でタオル掛け１が壁面５０に取り付けられる。
【００１９】
以上に説明した本実施形態のタオル掛け１によれば、タオル掛けバー２を片持ち式に支持するようにしたので、タオル掛けバー２と壁面５０との隙間に、タオル掛けバー２の先端部よりタオル４０を横から水平に通すことで、タオル４０をタオル掛けバー２に掛け易くすることができる。
【００２０】
また、取付具５を横断面コ字状として支持面６を設け、タオル掛けバー２と取付具５の支持面６とを長手方向に幅をもたせて当接させるようにし、さらに、この当接部分の長手方向における複数位置においてねじ固定するようにしたので、タオル掛けバー２を片持ち式に支持しても、タオル掛けバー２に付加された力を、長手方向に幅をもつ当接部分と長手方向における複数位置のねじ固定部分に分散させることができ、高い強度でタオル掛けバー２を支持固定することができる。
【００２１】
以上に、実施形態に基づき本発明を説明したが、本発明は上記の実施形態に何ら限定されるものではなく、その要旨を逸脱しない範囲内において各種の変更が可能である。たとえば、上記の実施形態では固定ねじ２４の数を２本としたが、３本以上の固定ねじ２４を長手方向に螺着してタオル掛けバー２を取付具５に支持固定するようにしてもよい。
【図面の簡単な説明】
【００２２】
【図１】本発明の一実施形態におけるタオル掛けの横断面図である。
【図２】図１のタオル掛けの正面図である。
【図３】図１のタオル掛けの側面図である。
【図４】図１のタオル掛けの取付具の斜視図である。
【図５】図１のタオル掛けの使用状態を示す斜視図である。
【符号の説明】
【００２３】
１      タオル掛け
２      タオル掛けバー
３      外周面
５      取付具
６      支持面
７      側面
８      側面
２４      固定ねじ
４０      タオル
５０      壁面
【図１】
2009077835.tif 000003
【図２】
2009077835.tif 000004
【図３】
2009077835.tif 000005
【図４】
2009077835.tif 000006
【図５】
2009077835.tif 000007